(57)【要約】      （修正有）【課題】ゴミや埃の広告用表示装置内部への侵入を防ぐことを可能にするフィルタおよびフィルタ付きファンの提供。【解決手段】ファンケース５０内にファン部５１とフィルタ部５５を備え、ファン部５１側に空気流出口５４と、ファン部５１側とは反対側に空気流入口５３と、空気流入口５３よりファン部５１側にフィルタ固定部５６があり、フィルタ固定部５６に、断面形状が円形のアコーディオン状であって、収納時には折り畳まれた状態となり、空気の流れにより伸長するフィルタ５５を備えている、広告表示装置用フィルタおよびフィルタ付きファン。【選択図】図４
2010249949.tif 000002
【特許請求の範囲】
【請求項１】
広告用表示装置用ファンに用いられる、断面形状が円形のアコーディオン状のフィルタであって、
収納時は、折り畳まれた状態であり、空気の流れにより、伸長することを特徴とするフィルタ。
【請求項２】
前記フィルタは、不織布からなることを特徴とする請求項１記載のフィルタ。
【請求項３】
広告用表示装置に用いられるフィルタ付きファンであって、
ファンケース内にファン部とフィルタ部を備え、
前記ファンケースは、前記ファン部側に空気流出口と前記ファン部側とは反対側に空気流入口と、前記空気流入口より前記ファン部よりにフィルタ固定部を備えており、
前記フィルタ固定部に請求項１または２に記載のフィルタを固定することを特徴とするフィルタ付きファン。
【発明の詳細な説明】
【技術分野】
【０００１】
本発明は、フィルタおよびフィルタ付きファンに関し、特に、広告用表示装置に用いられるフィルタおよびフィルタ付きファンに関する。
【背景技術】
【０００２】
近年、従来の印刷ポスター等に代わって平面ディスプレイ等によって静止画像や動画像等の画像や文字を表示する電子広告システムが使われ始めている。電子広告システムは、デジタルサイネージとも言われており、印刷後は表示内容が固定されるポスターと異なり、通信手段や内蔵記憶装置に多数の表示情報を保持しておくことで、表示内容を切り換えたり動画像表示を行うなど、多様な電子広告を行うことができる。
【０００３】
電子広告システムは、一般に、プラズマディスプレイや液晶ディスプレイ、ＬＥＤディスプレイ等の表示装置と、映像表示制御部と記憶装置等による制御部を備えており、動画像や静止画像の情報を表示装置に表示するようになっている。電子広告システムの設置場所としては、ビルの壁面やデパート、スーパー、コンビニエンスストア、ホテル、銀行、空港、駅等があげられる。
【０００４】
電子広告システムに用いられる広告用表示装置で課題となっていたものが、広告用表示装置として液晶表示装置を用いた場合、バックライトや制御部品、電源部品等が動作する時に発生する熱である。液晶表示装置に用いられる液晶パネルは、ある温度（例えば、６３℃）程度以上になると動作しなくなる。そこで、従来は、周囲の冷たい空気を取り入れる吸気・排気用の通風口を設けて、冷却する方法がとられていた。
【０００５】
また、特許文献１で開示される広告用表示装置のように、熱気を外側に放出するために冷却ファンを用いた冷却装置を取り付けてあるものも考えられていた。
【先行技術文献】
【特許文献】
【０００６】
【特許文献１】特開２００６−１７１０８１号公報
【発明の概要】
【発明が解決しようとする課題】
【０００７】
従来の広告用表示装置での周囲の冷たい空気を取り入れる吸気・排気用の通風口を設けて、冷却する方法では、空気中のゴミや埃も、この通風口から装置内に侵入するため、仮に導電性を持つゴミや埃が侵入した場合、部品間の電気ショート等を起こす可能性があるという問題があった。
【０００８】
本発明の目的は、上記課題に鑑み、ゴミや埃の広告用表示装置内部への侵入を防ぐことを可能にするフィルタおよびフィルタ付きファンを提供することにある。
【課題を解決するための手段】
【０００９】
本発明に係る広告用表示装置は、上記の目的を達成するために、次のように構成される。
第１のフィルタ（請求項１に対応）は、広告用表示装置用ファンに用いられる、断面形状が円形のアコーディオン状のフィルタであって、収納時は、折り畳まれた状態であり、空気の流れにより、伸長することを特徴とする。
第２のフィルタ（請求項２に対応）は、上記の構成において、好ましくは、フィルタは、不織布からなることを特徴とする。
第１のフィルタ付きファン（請求項３に対応）は、広告用表示装置に用いられるフィルタ付きファンであって、ファンケース内にファン部とフィルタ部を備え、ファンケースは、ファン部側に空気流出口とファン部側とは反対側に空気流入口と、空気流入口よりファン部よりにフィルタ固定部を備えており、フィルタ固定部に上記第１または第２のフィルタを固定することを特徴とする。
【発明の効果】
【００１０】
本発明によれば、アコーディオン状であるため、収納時は、コンパクトになり、使用時は、空気の流入で表面積が大きくなるので、多くの空気中のゴミや埃を取り除くことができる。
また、本発明によれば、ファンがフィルタを備えているため、空気中のゴミや埃がフィルタによって、装置内に侵入することを妨げ、部品間の電気ショート等を起こす可能性を低減することができる。
【図面の簡単な説明】
【００１１】
【図１】本発明の第１実施形態に係るフィルタおよびフィルタ付きファンを用いた広告用表示装置の構造を示す斜視図である。
【図２】本発明の第１実施形態に係るフィルタおよびフィルタ付きファンを用いた広告用表示装置の上部フレーム部材内と下部フレーム部材内の構成を示す正面図である。
【図３】本発明の第１実施形態に係るフィルタおよびフィルタ付きファンを用いた広告用表示装置の上部フレーム部材内と下部フレーム部材内の構成を示す側面図である。
【図４】第１のファン（フィルタ付きファン）の構成図である。
【図５】収納時のフィルタを示す図である。
【図６】ファンが回転していないときのフィルタの様子を示す図である。
【図７】ファンが回転しているときのフィルタの様子を示す図である。
【図８】冷却制御部を示すブロック構成図である。
【図９】本発明の第１実施形態に係るフィルタおよびフィルタ付きファンを用いた広告用表示装置の動作を説明するフローチャートである。
【図１０】本発明の第２実施形態に係るフィルタおよびフィルタ付きファンを用いた広告用表示装置での冷却制御装置をネットワークを介して遠隔の位置で制御するための構成を示す図である。
【図１１】本発明の第２実施形態に係るフィルタおよびフィルタ付きファンを用いた広告用表示装置の動作を説明するフローチャートである。
【図１２】本発明の第２実施形態に係るフィルタおよびフィルタ付きファンを用いた広告用表示装置の動作を説明するフローチャートである。
【発明を実施するための形態】
【００１２】
以下に、本発明の好適な実施形態（実施例）を添付図面に基づいて説明する。
【００１３】
図１は、本発明の第１実施形態に係るフィルタおよびフィルタ付きファンを用いた広告用表示装置の構造を示す斜視図である。本実施形態に係る広告用表示装置は、店舗での商品内容や業務内容などを示す広告画像を表示することが可能である。
【００１４】
図１に示されるように、広告用表示装置１０は、表示画面１１に広告用の動画像や静止画像を表示する表示部１２と、表示部１２の構成機器等を収納する上部フレーム部材１３と、上部フレーム部材１３を支持する支持部材１４と、下部フレーム部材１５と、本装置の転倒を防止する転倒防止部材１６とを備えている。
【００１５】
支持部材１４は、上部フレーム部材１３と一体となっており、例えば細長い角柱であって、一端は、上部フレーム部材１３が連結されており、中間部に下部フレーム部材１５が連結されており、他端に転倒防止部材１６が連結されている。
【００１６】
図２は、上部フレーム部材１３内と下部フレーム部材１５内の構成を示す図である。図２は、正面図であり、図３は、側面図である。図２と図３に示されるように、広告用表示装置１０は、強化ガラス１７と熱線防止フィルム１８と液晶ディスプレイ（ＬＣＤ）１９からなる表示パネル部２０とバックライト２１と液晶パネル制御回路２２と画像制御部２３と電源装置２４を備えている。また、広告用表示装置１０は、下部フレーム部材１５に、第１のファン（フィルタ付きファン）２５と上部フレーム部材の下部に第１のファン（フィルタ付きファン）２６，２７を設けている。さらに、広告用表示装置１０は、バックライト２１の裏側に、第２のファン２８，２９，３０を備えている。また、広告用表示装置１０は、表示パネル２０の温度を検出するための温度センサ（温度検出部）３１，３２，３３，３４がバックライト２１の裏側に備えている。
【００１７】
また、広告用表示装置１０は、第１のファン２５，２６，２７と第２のファン２８，２９，３０のそれぞれに、ファンの回転数を検出するファン回転数検出部３５，３６，３７，３８，３９，４０を備えている。
【００１８】
さらに、広告用表示装置１０は、温度センサ３１，３２，３３，３４によって検出される温度に基づいてバックライト２１の光量を調整するバックライト制御部４１と、第１のファン２５，２６，２７の回転数を制御する第１ファン回転数制御部４２と第２のファン２８，２９，３０の回転数を制御する第２ファン回転数制御部４３を備えている。バックライト制御部４１と第１ファン回転数制御部４２と第２ファン回転数制御部４３によって冷却制御部６０を構成している。
【００１９】
図４は、第１のファン（フィルタ付きファン）２５，２６，２７の構成図である。第１のファン２５，２６，２７は、同一のものであるので、第１のファン２６を例に説明する。第１のファン２６は、ファンケース５０内に、ファン本体５１と、フィルタ部５２を備えている。ファンケース５０は、下部に空気流入口５３とファン部上部に空気流出口５４を備えている。フィルタ５５は、アコーディオン状であり、例えば、ナイロン製の不織布であり、断面は、円形状である。ファンケース５０には、フィルタ５５のつば部５５ａによってフィルタ５５を固定するフィルタ固定部５６が設けられている。
【００２０】
図５は、収納時のフィルタ５５を示す図である。アコーディオン状のフィルタが畳まれコンパクトになっている。図６は、ファン２６が回転していないときであり、アコーディオン状のフィルタが、短くなっている。図７は、ファン５１が回転したときの様子を示す図である。ファン５１が回転すると空気の流れが生じ、下部の空気流入口５３から空気が流入する。それにより、フィルタ５５が伸び、表面積が大きくなる。流入された空気は、フィルタ５５によって、空気中の塵や埃が除去されて、ファン部５１に流れ込み、空気流出口５４から内部に塵や埃が除去された空気が内部に流入する。それにより、空気中のゴミや埃がフィルタによって、装置内に侵入することを妨げ、部品間の電気ショート等を起こす可能性を低減することができる。また、このフィルタ５５は、空気の流入で表面積が大きくなるので、多くの空気中のゴミや埃を取り除くことができる。
【００２１】
図８は、冷却制御部６０を示すブロック構成図である。冷却制御部６０は、入力部６１、出力部６２、ＣＰＵ６３、記憶部６４を備えている。この冷却制御部６０では、上部フレーム部材１３内部の温度センサ３１，３２，３３，３４からの信号と、第１のファン２６，２７の回転数検出部３６，３７からの信号と、第２のファン２８，２９，３０の回転数検出部３８，３９，４０からの信号を入力部６１に入力する。記憶部６４には、温度センサ３１，３２，３３，３４からの信号に基づいて、バックライト２１の光量を調整するためのバックライト制御プログラム６５と、温度センサ３１，３２，３３からの信号と第１のファン２６，２７の回転数検出部３６，３７からの信号に基づいて第１のファン２６，２７の回転数を制御する第１ファン回転数制御プログラム６６と、温度センサ３１，３２，３３，３４からの信号と第２のファン２８，２９，３０の回転数検出部３８，３９，４０からの信号に基づいて第２のファン２８，２９，３０の回転数を制御する第２ファン回転数制御プログラム６７を記憶している。これらのプログラムによって、冷却制御部６０は、バックライト制御部４１と、第１ファン回転数制御部４２と、第２ファン回転数制御部４３として動作する。また、記憶部６４には、検出された温度が、液晶パネル２０の動作が不良になる温度、例えば、５０℃以上にならないように、バックライト２１の光量を調整し、また、第２のファン２８，２９，３０の回転数を制御するための５０℃より低い所定の温度を記憶する記憶領域６８を設けている。また、記憶部６４には、所定温度以上になったときのバックライトの光量を定める値、例えば５０％を記憶する記憶領域６９を設けている。また、所定の温度以上になったとき、第１のファンおよび第２のファンの回転数を所定の温度以下での回転数の何倍するかの値、例えば、１．２倍を記憶する記憶領域７０を設けている。そして、それぞれのプログラムが動作したとき、バックライト制御信号、第１ファン制御信号、第２ファン制御信号が出力部６２から出力される。
【００２２】
上記構成の広告用表示装置１０は、画像を表示するためにバックライト２１を備えた液晶パネル２０を用いており、バックライト２１により、上部フレーム部材１３内部の温度が上昇することを防ぐために、上部フレーム部材１３内部の温度を温度センサ３１，３２，３３，３４により、検出し、検出された温度が、液晶パネルの動作が不良になる温度、例えば、５０℃以上にならないように、バックライト２１の光量を調整し、また、第１のファン２６，２７と第２のファン２８，２９，３０の回転数を制御する。すなわち、温度センサ３１，３２，３３，３４により検出される温度が５０℃より低い所定の温度以上になったとき、バックライト２１の光量を所定の温度以下での光量の５０％に低減する。また、所定の温度以上になったとき、第１のファン２６，２７および第２のファン２８，２９，３０の回転数を所定の温度以下での回転数の１．２倍にする。そして、温度が所定の温度以下に下がったとき、再び、バックライト２１の光量を戻し、第１のファン２６，２７および第２のファン２８，２９，３０の回転数を下げる。これにより、上部フレーム部材１３内部を液晶１９が正常に動作する温度に保つことができる。
【００２３】
次に、上記構成の広告用表示装置１０の動作を図９で示すフローチャートを用いて説明する。
ステップＳ１１：上部フレーム部材１３内部の温度を温度センサ３１，３２，３３，３４により、検出する。
ステップＳ１２：ＣＰＵ６３は、検出された温度が所定の温度以下か否か判断する。検出された温度が所定の温度以下のとき、ステップＳ１３を実行する。もし、検出された温度が所定の温度より高いとき、ステップＳ１６を実行する。
ステップＳ１３：バックライト２１の光量を所定の温度以下での光量にする。
ステップＳ１４：第１のファン２６，２７の回転数を所定の温度以下での回転数にする。  ステップＳ１５：第２のファン２８，２９，３０の回転数を所定の温度以下での回転数にする。そして、リターンする。
ステップＳ１６：バックライト２１の光量を所定の温度以下での光量の５０％に低減する。
ステップＳ１７：第１のファン２６，２７の回転数を所定の温度以下での回転数の１．２倍にする。
ステップＳ１８：第２のファン２８，２９，３０の回転数を所定の温度以下での回転数の１．２倍にする。そして、リターンする。
これにより、上部フレーム部材１３内部を液晶１９が正常に動作する温度に保つことができる。
【００２４】
このように、本実施形態によれば、第１のファン２６，２７がフィルタ５５を備えているため、空気中のゴミや埃がフィルタによって、装置内に侵入することを妨げ、部品間の電気ショート等を起こす可能性を低減することができる。
そして、そのフィルタ５５は、アコーディオン状であるため、収納時は、コンパクトになり、使用時は、空気の流入で表面積が大きくなるので、多くの空気中のゴミや埃を取り除くことができる。
また、本実施形態によれば、温度センサ３１，３２，３３，３４によって検出された温度に基づいて、バックライト２１の光量を制御する制御手段を備えたため、バックライト２１の光量を調整することにより、広告用表示装置１０内での熱の制御をきめ細かくすることができる。
さらに、本実施形態によれば、第１のファン２６，２７の回転数を検出する第１ファン回転数検出手段３６，３７とファン回転数制御手段４２と、第２のファン２８，２９，３０の回転数を検出する第２ファン回転数検出手段３８，３９，４０とファン回転数制御手段４３を備えているため、冷却ファンの故障の早期発見ができ、また、きめの細かい回転数制御が可能となり、表示装置内での熱の制御をきめ細かくすることはできる。
【００２５】
次に、本発明の第２実施形態に係るフィルタおよびフィルタ付きファンを用いた広告用表示装置を説明する。この第２実施形態では、広告用表示装置の冷却制御装置をネットワークに接続し、そのネットワークを介して、遠隔位置で、温度センサ３１，３２，３３，３４からの温度検出値と、第１ファン回転数検出値と、第２ファン回転数検出値を表示でき、また、遠隔位置からバックライト２１の光量、第１ファン２６，２７の回転数、第２ファン２８，２９，３０の回転数のそれぞれの制御を行うことができるようにした装置である。
【００２６】
広告用表示装置の本体の構成は、冷却制御装置を除いて同一であるので、ここでは、冷却制御装置の構成を説明し、表示装置本体の構成は、説明を省略する。
【００２７】
図１０は、第２実施形態での冷却制御装置８０をネットワーク８１を介して遠隔の位置で制御するための構成を示す図である。冷却制御部８０は、入力部８２、出力部８３、ＣＰＵ８４、記憶部８５を備えている。この冷却制御部８０では、上部フレーム部材１３内部の温度センサ３１，３２，３３，３４からの信号と、第１のファン２６，２７の回転数検出部３６，３７からの信号と、第２のファン２８，２９，３０の回転数検出部３８，３９，４０からの信号を入力部８２に入力する。記憶部８５には、温度センサ３１，３２，３３，３４からの信号に基づいて、バックライト２１の光量を調整するためのバックライト制御プログラム６５と、温度センサ３１，３２，３３，３４からの信号と第１のファン２６，２７の回転数検出部３６，３７からの信号に基づいて第１のファン２６，２７の回転数を制御する第１ファン回転数制御プログラム６６と、温度センサ３１，３２，３３，３４からの信号と第２のファン２８，２９，３０の回転数検出部３８，３９，４０からの信号に基づいて第２のファン２８，２９，３０の回転数を制御する第２ファン回転数制御プログラム６７を含む処理プログラム１００を記憶している。これらのプログラムによって、冷却制御部８０は、バックライト制御部４１と、第１ファン制御部４２と、第２ファン制御部４３として動作する。また、記憶部８５には、検出された温度が、液晶パネルの動作が不良になる温度、例えば、５０℃以上にならないように、バックライト２１の光量を調整し、また、第２のファン２８，２９，３０の回転数を制御するための５０℃より低い所定の温度を記憶する記憶領域６８を設けている。また、記憶部８５には、所定温度以上になったときのバックライト２１の光量を定める値、例えば５０％を記憶する記憶領域６９を設けている。また、所定の温度以上になったとき、第１のファンおよび第２のファンの回転数を所定の温度以下での回転数の何倍するかの値、例えば、１．２倍を記憶する記憶領域７０を設けている。そして、処理プログラム１００のそれぞれのプログラムが動作したとき、バックライト制御信号、第１ファン制御信号、第２ファン制御信号が出力部から出力される。
【００２８】
また、冷却制御部８０は、ネットワーク８１を介して、遠隔の位置に遠隔監視装置８６と遠隔制御装置８７が接続されている。遠隔監視装置８６は、冷却制御部８０の出力のうち、ネットワーク８１を介して送られる温度センサ３１，３２，３３，３４から検出された温度データと、第１ファン回転数データと、第２ファン回転数データを表示する装置である。また、遠隔制御装置８７は、入力装置（図示せず）を備えており、その入力装置から、バックライト２１の光量を変える量を設定したり、ファンの回転数を変える量を設定したり、所定の温度を設定することにより、それらのデータをネットワーク８１を介して、冷却制御部８０の入力部８２から入力し、記憶部８５でのそれらの値を変更することができる。また、ファンの回転数を遠隔の位置で知ることができるので、ファンの故障が遠隔の位置で知ることができ、ファンの交換等を適切な時期に行うことができる。
【００２９】
上記構成の広告用表示装置は、画像を表示するためにバックライト２１を備えた液晶パネルを用いており、バックライト２１により、上部フレーム部材１３内部の温度が上昇することを防ぐために、上部フレーム部材１３内部の温度を温度センサ３１，３２，３３，３４により、検出し、検出された温度が、液晶パネルの動作が不良になる温度、例えば、５０℃以上にならないように、バックライト２１の光量を調整し、また、第２のファン２８，２９，３０の回転数を制御する。すなわち、温度センサ３１，３２，３３，３４により検出される温度が５０℃より低い所定の温度以上になったとき、バックライト２１の光量を所定の温度以下での光量の５０％に低減する。また、所定の温度以上になったとき、第１のファンおよび第２のファンの回転数を所定の温度以下での回転数の１．２倍にする。そして、温度が所定の温度以下に下がったとき、再び、バックライト２１の光量を戻し、第１のファン２６，２７および第２のファン２８，２９，３０の回転数を下げる。これにより、上部フレーム部材１３内部を液晶が正常に動作する温度に保つことができる。
【００３０】
次に、上記構成の表示装置の動作を図１１で示すフローチャートを用いて説明する。
ステップＳ２１：上部フレーム部材１３内部の温度を温度センサ３１，３２，３３，３４により、検出する。
ステップＳ２２：温度データを出力する。
ステップＳ２３：遠隔監視装置８６は、温度データを受信する。
ステップＳ２４：遠隔監視装置８６は、温度データを表示する。
ステップＳ２５：第１ファン２６，２７の回転数を検出する。
ステップＳ２６：第１ファン２６，２７の回転数データを出力する。
ステップＳ２７：遠隔監視装置８６は、第１ファン２６，２７の回転数データ受信する。
ステップＳ２８：遠隔監視装置８６は、第１ファン２６，２７の回転数データを表示する。
ステップＳ２９：第２ファン２８，２９，３０の回転数を検出する。
ステップＳ３０：第２ファン２８，２９，３０の回転数データを遠隔監視装置８６に送信する。
ステップＳ３１：遠隔監視装置８６は、第２ファン２８，２９，３０の回転数データ受信する。
ステップＳ３２：遠隔監視装置８６は、第２ファン２８，２９，３０の回転数データを表示する。
ステップＳ３３：ＣＰＵ８４は、検出された温度が所定の温度以下か否か判断する。検出された温度が所定の温度以下のとき、ステップＳ３４を実行する。もし、検出された温度が所定の温度より高いとき、ステップＳ３７を実行する。
ステップＳ３４：バックライト２１の光量を所定の温度以下での光量にする。
ステップＳ３５：第１のファン２６，２７の回転数を所定の温度以下での回転数にする
ステップＳ３６：第２のファン２８，２９，３０の回転数を所定の温度以下での回転数にする。そして、リターンする。
ステップＳ３７：バックライト２１の光量を所定の温度以下での光量の５０％に低減する。
ステップＳ３８：第１のファン２６，２７の回転数を所定の温度以下での回転数の１．２倍にする。
ステップＳ３９：第２のファン２８，２９，３０の回転数を所定の温度以下での回転数の１．２倍にする。そして、リターンする。
これにより、上部フレーム部材１３内部を液晶が正常に動作する温度に保つことができる。
【００３１】
このように、本実施形態によれば、第１のファン２６，２７がフィルタ５５を備えているため、空気中のゴミや埃がフィルタ５５によって、装置内に侵入することを妨げ、部品間の電気ショート等を起こす可能性を低減することができる。
また、本実施形態によれば、温度センサ３１，３２，３３，３４によって検出された温度に基づいて、バックライト２１の光量を制御する制御手段を備えたため、バックライト２１の光量を調整することにより、広告用表示装置１０内での熱の制御をきめ細かくすることができる。
さらに、本実施形態によれば、ファン２６，２７，２８，２９，３０の回転数を検出するファン回転数検出手段３６，３７，３８，３９，４０とファン回転数制御手段４２，４３を備えているため、冷却ファンの故障の早期発見ができ、また、きめの細かい回転数制御が可能となり、広告用表示装置内での熱の制御をきめ細かくすることはできる。
また、ネットワーク８１に接続されており、温度検出手段３１，３２，３３，３４によって検出された温度を遠隔位置で監視する温度監視手段８６と、遠隔位置から制御手段に制御命令を送る遠隔制御手段８７とを備えるため、広告表示装置内の温度を遠隔の位置で監視することができる。
【００３２】
次に、上記構成の広告用表示装置で遠隔の位置から設定を変更する例を図１２で示すフローチャートを用いて説明する。
ステップＳ４１：遠隔制御装置８７の入力装置（図示せず）から、所定の温度、バックライトの光量変化量、第１ファン回転数変更率、第２ファン回転数変更率を入力する。
ステップＳ４２：遠隔制御装置８７の通信部９１から、所定の温度、バックライトの光量変化量、第１ファン回転数変更率、第２ファン回転数変更率を送信する。
ステップＳ４３：冷却制御部８０は、通信部９０により所定の温度、バックライトの光量変化量、第１ファン回転数変更率、第２ファン回転数変更率を受信する。
ステップＳ４４：冷却制御部８０は、所定の温度、バックライトの光量変化量、第１ファン回転数変更率、第２ファン回転数変更率を記憶部８５にすでに記憶されているデータを変更して記憶する。
ステップＳ４５：冷却制御部８０は、記憶完了通知と、データを出力する。
ステップＳ４６：遠隔制御装置８７は、記憶完了通知とデータを受信する。
ステップＳ４７：遠隔制御装置８７は、記憶完了通知とデータを表示する。
これにより、遠隔の位置から監視し、制御することができる。
【００３３】
このように、本実施形態によれば、第１のファンがフィルタを備えているため、空気中のゴミや埃がフィルタによって、装置内に侵入することを妨げ、部品間の電気ショート等を起こす可能性を低減することができる。
そして、そのフィルタは、アコーディオン状であるため、収納時は、コンパクトになり、使用時は、空気の流入で表面積が大きくなるので、多くの空気中のゴミや埃を取り除くことができる。
また、本実施形態によれば、ファンの回転数を検出するファン回転数検出手段とファン回転数制御手段を備えているため、冷却ファンの故障の早期発見ができ、また、きめの細かい回転数制御が可能となり、表示装置内での熱の制御をきめ細かくすることはできる。ネットワークに接続されており、温度検出手段によって検出された温度を遠隔位置で監視する温度監視手段と、遠隔位置から制御手段に制御命令を送る遠隔制御手段とを備えるため、表示装置内の温度を遠隔の位置で監視することができる。
【００３４】
なお、本実施形態では、液晶の箇所の温度制御を行うようにしたが、下部フレーム部材の電源装置による温度上昇を防ぐために、下部フレーム部材内部に温度センサを設け、その温度センサによる温度に基づいて、第１ファンの回転数を制御するようにすることも上記の方法と同様の方法でできる。
また、本実施形態では、温度センサが所定の温度以上になったとき、バックライト２１の光量を所定の温度以下での光量の５０％に低減するようにし、第１のファンおよび第２のファンの回転数を所定の温度以下での回転数の１．２倍にするようにしたが、それに限らず、他の適当な数値に設定することができる。
【００３５】
以上の実施形態で説明された構成、配置関係等については本発明が理解・実施できる程度に概略的にしたものにすぎない。従って本発明は、説明された実施形態に限定されるものではなく、特許請求の範囲に示される技術的思想の範囲を逸脱しない限り様々な形態に変更することができる。
【符号の説明】
【００３６】
１０        広告用表示装置
１１        表示画面
１２        表示部
１３        上部フレーム部材
１４        支持部材
１５        下部フレーム部材
１６        転倒防止部材
１７        強化ガラス
１８        熱線防止フィルム
１９        液晶ディスプレイ
２０        表示パネル部
２１        バックライト
２２        液晶パネル制御回路
２３        画像制御部
２４        電源装置
２５，２６，２７  第１のファン
２８，２９，３０  第２のファン
３１，３２，３３，３４  温度センサ
５５        フィルタ
【図１】
2010249949.tif 000003
【図２】
2010249949.tif 000004
【図３】
2010249949.tif 000005
【図４】
2010249949.tif 000006
【図５】
2010249949.tif 000007
【図６】
2010249949.tif 000008
【図７】
2010249949.tif 000009
【図８】
2010249949.tif 000010
【図９】
2010249949.tif 000011
【図１０】
2010249949.tif 000012
【図１１】
2010249949.tif 000013
【図１２】
2010249949.tif 000014